(57)【特許請求の範囲】
【請求項１】
複数の端末装置からのアクセスが集中するイーサネット（Ｅｔｈｅｒｎｅｔ（登録商標））上に設けたＡＣ（Ａｃｃｅｓｓ  Ｃｏｎｓｅｎｔｒａｔｏｒ）サーバと端末装置とを接続する通信装置において、
ＰＰＰｏＥプロトコルによる接続手順により前記複数の端末装置のいずれかの端末装置が
ＡＣサーバと接続する際に、
ＡＣサーバから返送されるＰＡＤＯ（Ｔｈｅ  ＰＰＰｏＥ  Ａｃｔｉｖｅ  Ｄｉｓｃｏｖｅｒｙ  Ｏｆｆｅｒ）パケットを受信したときに、使用可能なＡＣサーバであるとして、ＡＣサーバ管理テーブルに登録し、
他の端末装置からＡＣサーバへの接続要求があったときに、ＰＰＰｏＥプロトコルによる接続手順におけるＰＡＤＩ（Ｔｈｅ  ＰＰＰｏＥ  Ａｃｔｉｖｅ  Ｄｉｓｃｏｖｅｒｙ  Ｉｎｉｔｉａｔｉｏｎ）パケットおよびＰＡＤＯパケットの送受信を省略してＡＣサーバ管理テーブルに登録された使用可能なＡＣサーバに対してＰＡＤＲ（Ｔｈｅ  ＰＰＰｏＥ  Ａｃｔｉｖｅ  Ｄｉｓｃｏｖｅｒｙ  Ｒｅｑｕｅｓｔ）を送信するようにしたことを特徴とする通信装置。
【請求項２】
所定の間隔で、ＡＣサーバに対しＰＰＰｏＥプロトコルによる接続手順におけるＰＡＤＩを送信しＡＣサーバからＰＡＤＯを受信したときに、ＡＣサーバ管理テーブルを更新することを特徴とする請求項１記載の通信装置。
【請求項３】
複数の端末装置からのアクセスが集中するイーサネット上に設けたＡＣサーバと、端末装置と、前記ＡＣサーバと前記端末装置とを接続する通信装置とからなる通信システムにおけるＰＰＰｏＥプロトコル手順を簡略する方法において、
ＰＰＰｏＥプロトコルによる接続手順により端末装置をＡＣサーバと接続するとともに当該ＡＣサーバを使用可能なＡＣサーバとしてＡＣサーバ管理テーブルに登録し、その後、他の端末装置からＡＣサーバへの接続要求があったときに、前記ＡＣサーバ管理テーブル登録された使用可能なＡＣサーバに対してＰＡＤＩパケットおよびＰＡＤＯパケットの送受信を省略してＰＡＤＲパケットを送信することを特徴とするＰＰＰｏＥプロトコル手順を簡略化する方法。
【発明の詳細な説明】
【０００１】
【発明の属する技術分野】
本発明は、ＰＰＰｏＥ（Ｐｏｉｎｔ−ｔｏ−Ｐｏｉｎｔ  Ｐｒｏｔｏｃｏｌ  ｏｖｅｒ  Ｅｔｈｅｒｎｅｔ）通信でＰＰＰｏＥプロトコル手順を簡略化する方法、およびその方法を適用した通信装置に関する。
【０００２】
【従来の技術】
従来のＡＣサーバと端末装置とを通信装置を介して接続した通信システムの構成を図６を用いて説明する。
【０００３】
イーサネット（Ｅｔｈｅｒｎｅｔ）上に設けた複数の端末装置からのアクセスが集中するＡＣ（Ａｃｃｅｓｓ  Ｃｏｎｓｅｎｔｒａｔｏｒ）サーバ４０に通信装置（ＡＣクライアント）８０、集合型ターミナルアダプタ（以下、集合型ＴＡという）７１、ＩＳＤＮ（Integrated Services Digital Network）１００およびターミナルアダプタ（以下、ＴＡ（Ｔａｒｍｉｎａｌ  Ａｄｏｐｔｅｒ）という）７０を介して複数の端末装置（以下、ＰＣ（Ｐｅｒｓｏｎａｌ  Ｃｏｍｐｕｔｅｒ）という）６０を接続した通信システムにおいては、複数のＰＣ６０とＴＡ７０間では非同期のＰＰＰで、集合型ＴＡ７１とＡＣクライアント８０との間ではＸ．２５プロトコルで、ＡＣクライアント８０とＡＣサーバ４０との間ではＰＰＰｏＥで、それぞれ通信が行われる。
【０００４】
このような通信システムにおける通信装置８０とＡＣサーバ４０との間でＰＰＰｏＥによる接続処理（セッション）を確立する手法として、図７に示す手法が行われている。図７は、従来のＰＰＰｏＥのセッション確立動作が成功した時の処理手順を示している。
【０００５】
まず、第１のＰＣ６０−１からＡＣクライアント８０に対してイーサネット上に設けたＡＣサーバに対する接続要求があると（Ｓ８１）、ＡＣクライアント８０はＡＣサーバ４０に対してＰＡＤＩ（Ｔｈｅ  ＰＰＰｏＥ  Ａｃｔｉｖｅ  Ｄｉｓｃｏｖｅｒｙ  Ｉｎｉｔｉａｔｉｏｎ）パケットを送出する（Ｓ８２）。
【０００６】
このＰＡＤＩを受信したＡＣサーバ４０は、ＡＣクライアント８０に対して応答信号であるＰＡＤＯ（Ｔｈｅ  ＰＰＰｏＥ  Ａｃｔｉｖｅ  Ｄｉｓｃｏｖｅｒｙ  Ｏｆｆｅｒ）パケットを送出する（Ｓ８３）。
【０００７】
ＰＡＤＯを受信したＡＣクライアント８０は、ＡＣサーバ４０にサーバを指定したリクエストであるＰＡＤＲ（Ｔｈｅ  ＰＰＰｏＥ  Ａｃｔｉｖｅ  Ｄｉｓｃｏｖｅｒｙ  Ｒｅｑｕｅｓｔ）パケットを送出する（Ｓ８４）。
【０００８】
ＰＡＤＲを受信したＡＣサーバ４０は、ＡＣクライアント８０にＰＡＤＲを受信したことを確認するＰＡＤＳ（Ｔｈｅ  ＰＰＰｏＥ  Ａｃｔｉｖｅ  Ｄｉｓｃｏｖｅｒｙ  Ｓｅｓｓｉｏｎ−ｃｏｎｆｉｒｍａｔｉｏｎ）パケットを送信し（Ｓ８５）、ＡＣクライアント８０とＡＣサーバ４０との間に第１のセッションが確立する。その後、ＡＣクライアント８０を介して第１のＰＣ６０−１とＡＣサーバ４０との間でＤＡＴＡの転送が行われる（Ｓ８６）。
【０００９】
次いで、第２のＰＣ６０−２からＡＣクライアント８０に対してイーサネット上に設けたＡＣサーバに対する接続要求があると（Ｓ８７）、ＡＣクライアント８０はＡＣサーバ４０に対してＰＡＤＩパケットを送出する（Ｓ８８）。
【００１０】
このＰＡＤＩを受信したＡＣサーバ４０は、ＡＣクライアント８０に対して応答信号であるＰＡＤＯパケットを送出する（Ｓ８９）。
【００１１】
ＰＡＤＯを受信したＡＣクライアント８０は、ＡＣサーバ４０にサーバを指定したリクエストであるＰＡＤＲパケットを送出する（Ｓ９０）。
【００１２】
ＰＡＤＲを受信したＡＣサーバ４０は、ＡＣクライアント８０にＰＡＤＲを受信したことを確認するＰＡＤＳパケットを送信し（Ｓ９１）、ＡＣクライアント８０とＡＣサーバ４０との間に第２のセッションが確立する。その後、ＡＣクライアント８０を介して第２のＰＣ６０−２とＡＣサーバ４０との間でＤＡＴＡの転送が行われる（Ｓ９２）。
【００１３】
さらに、第３のＰＣ６０−３からＡＣクライアント８０に対してイーサネット上に設けたＡＣサーバに対する接続要求があると（Ｓ９３）、ＡＣクライアント８０はＡＣサーバ４０に対してＰＡＤＩパケットを送出する（Ｓ９４）。
【００１４】
このＰＡＤＩを受信したＡＣサーバ４０は、ＡＣクライアント８０に対して応答信号であるＰＡＤＯパケットを送出する（Ｓ９５）。
【００１５】
ＰＡＤＯを受信したＡＣクライアント８０は、ＡＣサーバ４０にサーバを指定したリクエストであるＰＡＤＲパケットを送出する（Ｓ９６）。
【００１６】
ＰＡＤＲを受信したＡＣサーバ４０は、ＡＣクライアント８０にＰＡＤＲを受信したことを確認するＰＡＤＳパケットを送信し（Ｓ９７）、ＡＣクライアント８０とＡＣサーバ４０との間に第３のセッションが確立する。その後、ＡＣクライアント８０を介して第３のＰＣ６０−３とＡＣサーバ４０との間でＤＡＴＡの転送が行われる（Ｓ９８）。
【００１７】
このようにして、ひとつのセッションが終了した後、さらに他のＰＣ６０からＡＣクライアント８０に対してＡＣサーバ４０に対する接続要求（セッションの要求）があると、このセッションに対しても同様の手順を踏んで、セッションの確立を図ることを行っている。
【００１８】
このようなセッション毎にＡＣクライアントとＡＣサーバの間で一連のセッションの手順を踏む従来のＰＰＰｏＥプロトコル手順によるセッション確立成功時の動作は、セッション確立数の増加と共に通信装置や回線にかかる負荷が増大し、スループットの低下を招くなどの問題を有している。
【００１９】
【発明が解決しようとする課題】
本発明は、イーサネット上でのＰＰＰｏＥプロトコル手順におけるセッション確立手順を簡略化し、スループットの向上をはかり、通信装置、回線の負荷を軽減することを目的とする。
【００２０】
【課題を解決するための手段】
上記課題を解決するために、本発明は、ＡＣクライアントがアクセス可能なＡＣサーバを一定時間（可変）学習しておいて、アクセス可能なＡＣサーバへのＰＰＰｏＥによるセッション確立を簡略化することを特徴とする。
【００２１】
すなわち、本発明は、複数の端末装置からのアクセスが集中するイーサネット（登録商標）上に設けたＡＣサーバと端末装置とを接続する通信装置において、ＰＰＰｏＥプロトコルによる接続手順により前記複数の端末装置のいずれかの端末装置がＡＣサーバと接続する際に、ＡＣサーバから返送されるＰＡＤＯパケットを受信したときに、使用可能なＡＣサーバであるとして、ＡＣサーバ管理テーブルに登録し、他の端末装置からＡＣサーバへの接続要求があったときに、ＰＰＰｏＥプロトコルによる接続手順におけるＰＡＤＩパケットおよびＰＡＤＯパケットの送受信を省略してＡＣサーバ管理テーブルに登録された使用可能なＡＣサーバに対してＰＡＤＲを送信するようにした。
【００２４】
さらに、本発明は、上記通信装置において、所定の間隔で、ＡＣサーバに対しＰＰＰｏＥプロトコルによる接続手順におけるＰＡＤＩを送信しＡＣサーバからＰＡＤＯを受信したときに、ＡＣサーバ管理テーブルを更新することを特徴とする。
【００２５】
本発明は、複数の端末装置からのアクセスが集中するイーサネット上に設けたＡＣサーバと、端末装置と、前記ＡＣサーバと前記端末装置とを接続する通信装置とからなる通信システムにおけるＰＰＰｏＥプロトコル手順を簡略する方法において、ＰＰＰｏＥプロトコルによる接続手順により端末装置をＡＣサーバと接続するとともに当該ＡＣサーバを使用可能なＡＣサーバとしてＡＣサーバ管理テーブルに登録し、その後、他の端末装置からＡＣサーバへの接続要求があったときに、前記ＡＣサーバ管理テーブル登録された使用可能なＡＣサーバに対してＰＡＤＩパケットおよびＰＡＤＯパケットの送受信を省略してＰＡＤＲパケットを送信することを特徴とする。
【００２６】
【発明の実施の形態】
本発明の実施例を図面を基に説明する。
【００２７】
図１は、本発明にかかるＰＰＰｏＥプロトコルを簡略化する方法が実行できる通信システムにおける接続構成図であり、イーサネット上に１台のＡＣサーバが存在するときの通信システムの構成を示している。本発明にかかる通信装置が適用される通信システムは、ＬＡＮを構成するＩＳＰ（Ｉｎｔｅｒｎｅｒｔ  Ｓｅｒｖｉｃｅ  Ｐｒｏｖｉｄｅｒ）網５０からなるイーサネット上に設置されたＰＰＰｏＥ終端機能を持つＡＣサーバ４０と端末装置である複数のＰＣ６０―１〜６０−３とを、ターミナルアダプタ（以下、ＴＡ（Ｔａｒｍｉｎａｌ  Ａｄａｐｔｅｒ）という）７０−１〜７０−３とＩＳＤＮ１００と集合型ＴＡ７１と本発明にかかる通信装置であるＡＣクライアント１０とを介して接続して構成される。この通信システムにおいては、それぞれのＰＣ６０とＴＡ７０間では非同期のＰＰＰで、集合型ＴＡ７１とＡＣクライアント１０との間ではＸ．２５プロトコルで、ＡＣクライアント１０とＡＣサーバ４０との間ではＰＰＰｏＥプロトコルで、それぞれ通信が行われる。
【００２８】
ＡＣサーバ４０とＩＳＰ網５０は、ＬＡＮの一種であるイーサネットに属する。
【００２９】
図２を用いて、ＰＰＰｏＥプロトコルを簡略化する方法が実行できる通信装置であるＡＣクライアント１０のハードウエア構成を説明する。
【００３０】
本発明にかかる通信装置であるＡＣクライアント１０は、ＰＰＰｏＥプロトコル簡略方法を制御するミクロコンピュータであるＣＰＵ１１と、ＰＰＰｏＥプロトコル簡略方法における論理変数記憶用のメモリである第１のＲＡＭ１２と、ＰＰＰｏＥプロトコル簡略方法における記憶用メモリであるＥＥＰＲＯＭ１３と、ＰＰＰｏＥプロトコル簡略方法の状態およびＩＳＤＮ回線および１００ＢＡＳＥ−ＴＸのリンク状態を示すＬＥＤ１４と、ＬＡＮコントローラおよびＷＡＮコントローラが送受信するデータ格納用のメモリである第２のＲＡＭ１５と、ＬＡＮから受信したデータもしくは、送信するデータを制御するＬＡＮコントローラ１６と、ＩＳＤＮ回線から受信したもしくはＩＳＤＮ回線に送信するデータを制御するＷＡＮコントローラ１７と、ＲＳ−２３２Ｃの物理的な制御を実行するＲＳ−２３２Ｃコントローラ１８と、１００ＢＡＳＥ−ＴＸの物理的な制御を実行する１００ＢＡＳＥ−ＴＸコントローラ１９と、ＩＳＤＮ回線の物理的な制御をするＩインターフェースコントローラ２０とを有して構成される。
【００３１】
第１のＲＡＭ１２には、本発明に特徴的なＡＣサーバ管理テーブル１２１が設けられ、任意に設定される所定の時間が経過すると、ＡＣサーバ管理テーブル１２１は消去される。
【００３２】
ＲＳ−２３２Ｃコントローラ１８は、例えば図示を省略した通信システム全体の管理などを行うＤＡＭターミナルとの間の通信を制御する。
【００３３】
１００ＢＡＳＥ−ＴＸコントローラ１９は、ＡＣサーバ４０との間の通信を制御する。
【００３４】
Ｉインターフェースコントローラ２０は、ＰＣ６０との間の通信を制御する。
【００３５】
図３を用いて、図１に示したＡＣサーバが１台の場合の通信システムにおいて、本発明にかかるＰＰＰｏＥプロトコル簡略化方法により、プロトコル手順の簡略化をはかったセッション確立時の手順を説明する。
【００３６】
尚、この手順はＰＰＰｏＥプロトコルＲＦＣ２５１６に準拠した手順である。
【００３７】
第１のＰＣ６０−１からＡＣクライアント１０に、非同期ＰＰＰのＣＬＣＰ（Ｌｉｎｋ  Ｌａｙａ  Ｃｏｎｅｃｔｉｏｎ  Ｐｒｏｔｏｃｏｌ）で接続要求（ＣＲ：Ｃｏｎｅｃｔｉｏｎ  Ｒｅｑｕｅｓｔ）があると（Ｓ１）、ＡＣクライアント１０はＰＰＰｏＥセッションを確立するためにＡＣサーバ４０にＰＡＤＩパケットを送出する（Ｓ２）。ＰＡＤＩパケットを受信したＡＣサーバ４０は、自身通信可能なときＡＣクライアント１０へＰＡＤＯパケットを送出する（Ｓ３）。ＰＡＤＯパケットを受け取ったＡＣクライアント１０は、ＰＡＤＯパケットの送信元であるＡＣサーバ４０を一定時間使用可能であると認識し、ＭＡＣアドレスを基にしてＡＣサーバを管理するテーブルであるＡＣサーバ管理テーブル１２１に使用可能であることを設定する（Ｓ４）。このＡＣサーバ管理テーブル１２１は任意に設定可能な一定時間維持される。
【００３８】
ＰＡＤＯを受信したＡＣクライアント１０がＡＣサーバ４０にＰＡＤＲを送信する（Ｓ５）。ＰＡＤＲを受信したＡＣサーバ４０はＡＣクライアント１０にＰＡＤＳを送信し（Ｓ６）、第１のセッションが確立される。これ以降、第１のＰＣ６０−１からＡＣクライアント１０を介してＡＣサーバ４０にデータを送信する（Ｓ７）。
【００３９】
ＡＣクライアント１０がＡＣサーバ管理テーブル１２１に使用可能なＡＣサーバ４０を記憶している一定時間内に、第２のＰＣ６０−２からＡＣサーバ４０に対して接続要求があり（Ｓ８）、ＡＣクライアント１０が更なるＰＰＰｏＥセッションを確立しようとしたとき、ＡＣクライアント１０はＡＣサーバ管理テーブル１２１を参照して、通信可能なＡＣサーバ４０を認識し、ＰＡＤＩパケットおよびＰＡＤＯパケット（Ｓ２，Ｓ３）のやり取りを省略して、ＡＣサーバ４０にＰＡＤＲパケットを送出する（Ｓ９）。ＰＡＤＲパケットを受信したＡＣサーバ４０は自身データ通信可能なときにＡＣクライアント１０へＰＡＤＳパケットを送信して（Ｓ１０）、第２のセッションが確立される。これ以降、第２のＰＣ６０−２からＡＣクライアント１０を介してＡＣサーバ４０にデータを送信する（Ｓ１１）。
【００４０】
ＡＣクライアント１０が使用可能なＡＣサーバ４０を記憶している一定時間内に、さらに第３のＰＣ６０−３からＡＣサーバ４０に対して接続要求があり（Ｓ１２）、ＡＣクライアント１０が更なるＰＰＰｏＥセッションを確立しようとすると、ＡＣクライアント１０は、ＡＣサーバ管理テーブルを１２１を参照して、通信可能なＡＣサーバ４０を認識し、ＰＡＤＩパケットおよびＰＡＤＯパケット（Ｓ２，Ｓ３）のやり取りを省略して、ＡＣサーバ４０にＰＡＤＲパケットを送出する（Ｓ１３）。ＰＡＤＲパケットを受信したＡＣサーバ４０は自身データ通信可能なときにＡＣクライアント１０へＰＡＤＳパケットを送信して（Ｓ１４）、第３のセッションが確立される。これ以降、第３のＰＣ６０−２からＡＣクライアント１０を介してＡＣサーバ４０にデータを送信する（Ｓ１５）。
【００４１】
以降、一定時間を超えるまでステップＳ９（Ｓ１３）、ステップＳ１０（Ｓ１４）と同様な手順を踏み、ＰＰＰｏＥセッションの確立を簡略化して行なうことができる。
【００４２】
図４は、本発明にかかるＰＰＰｏＥプロトコルを簡略化する方法が実行できる通信システムの接続構成図であり、イーサネット上に複数台のＡＣサーバが存在するときの通信システムの構成を示している。
【００４３】
この通信システムは、複数のＰＣ６０−１〜６０−３と、ＴＡ７０−１〜７０−３と、ＩＳＤＮ１００と、集合型ＴＡ７１と、本発明にかかる装置であるＡＣクライアント１０と、ＰＰＰｏＥ終端機能を持つ複数のＡＣサーバ４０−１，４０−２と、ＩＳＰ網５０とから構成される。
【００４４】
ＰＣ６０とＴＡ７０間は非同期ＰＰＰによる通信である。
【００４５】
集合型ＴＡ７１とＡＣクライアント１０間はＸ．２５プロトコルによる通信である。
【００４６】
ＡＣクライアント１０とＡＣサーバ４０−１、ＡＣサーバ４０−２間はＰＰＰｏＥプロトコルによる通信である。
【００４７】
ＡＣサーバ４０−１、ＡＣサーバ４０−２とＩＳＰ網５０は、ＬＡＮの一種であるイーサネットに属する。
【００４８】
図５を用いて、図４に示したＡＣサーバが２台の場合の通信システムにおいて、本発明にかかるＰＰＰｏＥプロトコル簡略化方法により、プロトコル手順の簡略化をはかるとともに、ＡＣサーバへの負荷の分散をはかるセッション確立時の手順を説明する。
【００４９】
第１のＰＣ６０−１からＡＣクライアント１０に、非同期ＰＰＰのＣＬＣＰ  ＣＲ（接続要求）があると（Ｓ４１）、ＡＣクライアント１０はＰＰＰｏＥセッションを確立するためにＡＣサーバ４０−１およびＡＣサーバ４０−２に対しＰＡＤＩパケットをブロードキャストの形式で送出する（Ｓ４２）。ブロードキャスト形式のＰＡＤＩパケットを受信したＡＣサーバ４０−１は、自身使用可能なときＡＣクライアント１０へＰＡＤＯパケットを送出する（Ｓ４３）。ＡＣサーバ４０−１からＰＡＤＯパケットを受け取ったＡＣクライアント１０は、ＰＡＤＯパケットの送信元であるＡＣサーバ４０−１を一定時間使用可能であると認識し、ＭＡＣアドレスを基にしてＡＣサーバを管理するテーブルであるＡＣサーバ管理テーブル１２１に番号順に使用可能であることを設定する（Ｓ４４）。
【００５０】
同様にＰＡＤＩパケットを受信したＡＣサーバ４０−２は、自身使用可能なときにＡＣクライアント１０へＰＡＤＯパケットを送出する（Ｓ４５）。
【００５１】
ＡＣサーバ４０−２からＰＡＤＯパケットを受け取ったＡＣクライアント１０は、ＰＡＤＯパケットの送信元であるＡＣサーバ４０−２を一定時間使用可能であると認識し、ＭＡＣアドレスを基にしてＡＣサーバ管理テーブル１２１に番号順に使用可能であることを設定する（Ｓ４６）。
【００５２】
ＡＣサーバ管理テーブル１２１は、ＰＡＤＯを受信した順にＡＣサーバが設定される。このＡＣサーバ管理テーブル１２１は、任意に設定可能な一定時間維持されるとともに、接続要求があるたびに、このＡＣサーバ管理テーブルに設定されたＡＣサーバが若番より順次使用される。
【００５３】
この例では、ＡＣサーバ４０−１からＰＡＤＯを先に受信したので接続先がＡＣサーバ４０−１となり、ＰＡＤＯを受信したＡＣクライアント１０はＡＣサーバ４０−１にＰＡＤＲを送信する（Ｓ４７）。ＰＡＤＲを受信したＡＣサーバ４０−１は、ＡＣクライアント１０にＰＡＤＳを送信して（Ｓ４８）、第１のセッションが確立する。これ以降、第１のＰＣ６０−１からＡＣサーバ４０−１にデータを送信する（Ｓ４９）。
【００５４】
ＡＣクライアント１０が使用可能なＡＣサーバを記憶している一定時間内に、第２のＰＣ６０−２から接続要求があると（Ｓ５０）、ＡＣクライアント１０は、ＰＡＤＩパケットおよびＰＡＤＯパケットの送受信の手順を省略して、直ちにＡＣサーバ管理テーブル１２１を参照して次位に登録されたＡＣサーバ４０−２に対してＰＡＤＲパケットを送出する（Ｓ５１）。ＰＡＤＲパケットを受信したＡＣサーバ４０−２は、自身通信可能なときにＡＣクライアント１０へＰＡＤＳパケットを送信して（Ｓ５２）、第２のセッションを確立する。これ以降、第２のＰＣ６０−２からＡＣサーバ４０−２にデータを送信する（Ｓ５３）。
【００５５】
ＡＣクライアント１０が使用可能なＡＣサーバを記憶している一定時間内に、さらに、第３のＰＣ６０−３から接続要求があると（Ｓ５４）、ＡＣクライアント１０は、ＰＡＤＩパケットおよびＰＡＤＯパケットの送受信の手順を省略して、直ちにＡＣサーバ管理テーブル１２１を参照してさらに次位に登録されたＡＣサーバ４０−２に対してＰＡＤＲパケットを送出する（Ｓ５５）。ここでは、さらに次位のＡＣサーバが登録されていないので、先頭に登録されたＡＣサーバ４０−１に対してＰＡＤＲパケットを送信する。
【００５６】
ＰＡＤＲパケットを受信したＡＣサーバ４０−１は、自身通信可能なときにＡＣクライアント１０へＰＡＤＳパケットを送信して（Ｓ５６）、第３のセッションを確立する。これ以降、第３のＰＣ６０−３からＡＣサーバ４０−１にデータを送信する（Ｓ５７）。
【００５７】
以降、一定時間を超えるまでステップＳ４７（Ｓ５１，Ｓ５５）〜ステップＳ４８（Ｓ５２，Ｓ５６）と同様な手順を踏みＰＰＰｏＥセッションの確立を簡略化して行なうことができる。
【００５８】
【発明の効果】
本発明によれば、通信装置（ＡＣクライアント）が１セッション確立時に使用可能なＡＣサーバを学習することで、使用可能ＡＣサーバを探す手順であるＰＡＤＩパケットおよびＰＡＤＯパケットのやり取りが不要となり、ＰＰＰｏＥセッション確立手順を簡略化することが可能となり、複数のセッションを確立するときにスループットの向上が望め、それにより通信装置、回線の負荷の軽減、回線コストの低減を図ることができる。
【００５９】
以下、数値を用いて効果を説明する。セッション数をＮとすると、
【００６０】
図７に示した従来手順におけるＮセッション確立に必要なパケット数は、４Ｎ（パケット）である。一方、図３に示すＡＣサーバが１台の場合の手順におけるＮセッション確立に必要なパケット数は、２＋２×Ｎ（パケット）である。したがって、パケット減少率は、{（２＋２×Ｎ）／４Ｎ}×１００（％）となり、Ｎが無限大のとき、パケット減少率を５０パーセントに近づけることができる。よって、本発明によれば、セッション確率字のスループットを向上させることができる。
【００６１】
さらに、図５に示したＡＣサーバが２台の場合の手順におけるＮセッション確立に必要なパケット数は、３＋２×Ｎ（パケット）である。したがって、パケット減少率は、（３＋２×Ｎ）／４Ｎ}×１００（％）となる。
【００６２】
以上のように、本発明はセッション確立数が増加するに従って従来技術のセッション確立に必要な２分の１のパケット数でセッションの確立が可能になる。
【図面の簡単な説明】
【図１】本発明にかかるＰＰＰｏＥプロトコル簡略化方法が実行できるＡＣサーバが１台の通信システムの構成を示す図。
【図２】本発明にかかる通信装置のハードウエア構成を示す図。
【図３】図１に示した通信システムにおいて、本発明にかかるＰＰＰｏＥプロトコル簡略化方法による、プロトコル手順を説明する図。
【図４】本発明にかかるＰＰＰｏＥプロトコル簡略化方法が実行できるＡＣサーバが２台の通信システムの構成を示す図。
【図５】図３に示した通信システムにおいて、本発明にかかるＰＰＰｏＥプロトコル簡略化方法による、プロトコル手順を説明する図。
【図６】従来のＰＰＰｏＥプロトコルを用いる１台の通信システムの構成を示す図。
【図７】図６に示した通信システムにおけるＰＰＰｏＥプロトコルのセッション確立成功時の動作を示す図。
【符号の説明】
１０  ＡＣクライアント（通信装置）
１１  ＣＰＵ
１２  第１のＲＡＭ
１３  ＥＥＰＲＯＭ
１４  ＬＥＤ
１５  第２のＲＡＭ
１６  ＬＡＮコントローラ
１７  ＷＡＮコントローラ
１８  ＲＳ−２３２Ｃコントローラ
１９  １００ＢＡＳＥ−ＴＸコントローラ
２０  Ｉインターフェースコントローラ
４０  ＡＣサーバ
５０  ＩＳＰ網
６０  端末装置（パーソナルコンピュータ：ＰＣ）
７０  ターミナルアダプタ（ＴＡ）
７１  集合型ターミナルアダプタ（集合型ＴＡ）
８０  ＡＣクライアント
１００  ＩＳＤＮ
【図１】
0004397127.tif 000002
【図２】
0004397127.tif 000003
【図３】
0004397127.tif 000004
【図４】
0004397127.tif 000005
【図５】
0004397127.tif 000006
【図６】
0004397127.tif 000007
【図７】
0004397127.tif 000008